(57)【要約】【課題】所定の時間間隔毎に静止画を撮影して生成した静止画群を記録するとともに、それら静止画群を１本の動画データに変換して記録する場合において、対応する静止画データと動画データとを使いやすくリンクして記録する。【解決手段】レーザ光が一方の面側からのみ入射される２つの記録層を有する書き換え可能な２層の光ディスクＤに対して記録を行うディスクドライブ１３と、複数の静止画データを１つの動画データに変換するタイムラプスコントローラ１０とを備える。タイムラプスコントローラ１０は、撮影時刻が連続した複数の静止画データから構成された静止画群を１つの動画データに変換するとともに、当該動画データに静止画データの撮影時刻情報を含める。また、タイムラプスコントローラ１０は、対応する静止画群及び動画データをシーク量が最小となる配置となるように記録制御するとともに、対応する静止画データ及び動画データ同士を関連付けるインデックスファイルを生成して２層光ディスクＤに記録する。【選択図】図６
2007048349.tif 000002
【特許請求の範囲】
【請求項１】
レーザ光が一方の面側からのみ入射される２つの記録層を有する書き換え可能な２層の光ディスクにおいて、
撮影時刻が連続した複数の静止画データから構成された１又は複数の静止画群と、前記各静止画群を動画化した１又は複数の動画データと、対応する静止画データ及び動画データ同士を関連付けるインデックスファイルとが記録され、
対応する前記静止画群と前記動画データとがシーク量が最小となる配置で記録され、
動画データには、対応する静止画像の撮影時刻情報が含まれていること
を特徴とする光ディスク。
【請求項２】
レーザ光が一方の面側からのみ入射される２つの記録層を有する書き換え可能な２層光ディスクに対して記録及び再生を行う光ディスク記録再生部と、
複数の静止画データを１つの動画データに変換する静止画動画変換部と、
前記光ディスク記録再生部及び静止画動画変換部を制御する制御部とを備え、
前記静止画動画変換部は、撮影時刻が連続した複数の静止画データから構成された静止画群を１つの動画データに変換するとともに、当該動画データに静止画データの撮影時刻情報を含め、
前記制御部は、対応する前記静止画群及び前記動画データをシーク量が最小となる配置となるように記録制御するとともに、対応する前記静止画データ及び前記動画データ同士を関連付けるインデックスファイルを生成して前記２層光ディスクに記録すること
を特徴とする光ディスク記録装置。
【請求項３】
前記静止画動画変換部は、静止画群を動画データに変換する時に、当該動画像の先頭からの差分の時刻情報を基準にエンコードを行うこと
を特徴とする請求項２記載の光ディスク記録装置。
【請求項４】
前記静止画動画変換部は、静止画群を動画データに変換する時に、１日分の静止画群を、１つの動画データとしてエンコードすること
を特徴とする請求項２記載の光ディスク記録装置。
【請求項５】
撮影時刻が連続した複数の静止画データから構成された静止画群を、静止画データの撮影時刻情報を含んだ１つの動画データに変換し、
対応する前記静止画群及び前記動画データをシーク量が最小となる配置となるように、レーザ光が一方の面側からのみ入射される２つの記録層を有する書き換え可能な２層光ディスクに対して記録するとともに、対応する前記静止画データ及び前記動画データ同士を関連付けるインデックスファイルを生成して前記２層光ディスクに記録すること
を特徴とする光ディスク記録方法。
【請求項６】
静止画群を動画データに変換する時に、当該動画像の先頭からの差分の時刻情報を基準にエンコードを行うこと
を特徴とする請求項５記載の光ディスク記録方法。
【請求項７】
静止画群を動画データに変換する時に、１日分の静止画群を、１つの動画データとしてエンコードすること
を特徴とする請求項５記載の光ディスク記録方法。
【発明の詳細な説明】
【技術分野】
【０００１】
本発明は、レーザ光が一方の面側からのみ入射される２つの記録層を有する書き換え可能な光ディスク、並びに、撮影時刻が連続した複数の静止画データから構成された静止画群と当該静止画群を動画化した動画データとを光ディスクに対して記録する光ディスク記録装置及び光ディスク記録方法に関するものである。
【背景技術】
【０００２】
従来より、監視カメラシステム等の分野において、映像のタイムラプス記録が広く行われていた（例えば特許文献１参照。）。タイムラプスとは、間欠的に撮影した映像（インターバル撮影した映像）を連続した１本の動画データとして記録するものである。例えば、植物の成長の様子を所定時間間隔で撮影し、時間軸を短縮した１本の動画像データにするというものである。
【０００３】
また、所定の時間間隔毎に静止画を撮影して生成した静止画群を光ディスクに記録するとともに、それら静止画群を１本の動画データに変換して光ディスクに記録する電子ファイルシステムも知られている。
【０００４】
【特許文献１】特開２０００−１６３８２９号公報
【発明の開示】
【発明が解決しようとする課題】
【０００５】
ところで、所定の時間間隔毎に静止画を撮影して生成した静止画群を光ディスクに記録するとともに、それら静止画群を１本の動画データに変換して光ディスクに記録する場合、静止画データは例えばＥｘｉｆといった所定の形式、また、動画データはＭＰＥＧ-２といった所定形式でそれぞれ記録しなければならない。そのため、静止画データ及び動画データの互いのアプリケーションフォーマットに準拠しつつ、シームレスに互いの記録ファイルを使いやすくリンクすることは、困難であった。
【０００６】
本発明は、所定の時間間隔毎に静止画を撮影して生成した静止画群を記録するとともに、それら静止画群を１本の動画データに変換して記録する場合において、対応する静止画データと動画データとを使いやすくリンクした光ディスク、並びに、このような記録を行う光ディスク記録装置及び方法を提供することを目的とする。
【課題を解決するための手段】
【０００７】
本発明に係る光ディスクは、レーザ光が一方の面側からのみ入射される２つの記録層を有する書き換え可能な２層の光ディスクであって、撮影時刻が連続した複数の静止画データから構成された１又は複数の静止画群と、前記各静止画群を動画化した１又は複数の動画データと、対応する静止画データ及び動画データ同士を関連付けるインデックスファイルとが記録され、対応する前記静止画群と前記動画データとがシーク量が最小となる配置で記録され、動画データには、対応する静止画像の撮影時刻情報が含まれていることを特徴とする。
【０００８】
本発明に係る光ディスク記録装置は、レーザ光が一方の面側からのみ入射される２つの記録層を有する書き換え可能な２層光ディスクに対して記録及び再生を行う光ディスク記録再生部と、複数の静止画データを１つの動画データに変換する静止画動画変換部と、前記光ディスク記録再生部及び静止画動画変換部を制御する制御部とを備え、前記静止画動画変換部は、撮影時刻が連続した複数の静止画データから構成された静止画群を１つの動画データに変換するとともに、当該動画データに静止画データの撮影時刻情報を含め、前記制御部は、対応する前記静止画群及び前記動画データをシーク量が最小となる配置となるように記録制御するとともに、対応する前記静止画データ及び前記動画データ同士を関連付けるインデックスファイルを生成して前記２層光ディスクに記録することを特徴とする。
【０００９】
本発明に係る光ディスク記録方法は、撮影時刻が連続した複数の静止画データから構成された静止画群を、静止画データの撮影時刻情報を含んだ１つの動画データに変換し、対応する前記静止画群及び前記動画データをシーク量が最小となる配置となるように、レーザ光が一方の面側からのみ入射される２つの記録層を有する書き換え可能な２層光ディスクに対して記録するとともに、対応する前記静止画データ及び前記動画データ同士を関連付けるインデックスファイルを生成して前記２層光ディスクに記録することを特徴とする。
【発明の効果】
【００１０】
本発明では、レーザ光が一方の面側からのみ入射される２つの記録層を有する書き換え可能な２層の光ディスクに対して、１又は複数の静止画群と、各静止画群を動画化した１又は複数の動画データと、対応する静止画データ及び動画データ同士を関連付けるインデックスファイルとを記録し、対応する前記静止画群と前記動画データとがシーク量が最小となる配置とされ、動画データには対応する静止画像の撮影時刻情報が含まれている。
【００１１】
このことにより本発明では、対応する静止画データと動画データとのリンクが形成されるとともに、動画と静止画との再生の切り換えを高速に行うことができる。
【発明を実施するための最良の形態】
【００１２】
つぎに、本発明の最良の形態として、本発明が適用されたカメラシステム１について説明をする。
【００１３】
カメラシステム１は、ある被写体の静止画を長期に亘り間欠撮影して、撮影時間が連続した複数の静止画から構成される静止画データ群を生成し、それら静止画データ群を光ディスクに記録して保存するシステムである。さらに、カメラシステム１は、１日毎に静止画データ群を動画データに変換し、静止画データ群とともにその変換動画データを光ディスクに記録するシステムである。このようなカメラシステム１は、例えば、植物の生態の観察や監視カメラシステム等として用いられる。
【００１４】
図１は、カメラシステム１のブロック構成図である。
【００１５】
カメラシステム１は、図１に示すように、複数の静止画データ群を変換動画データに変換するタイムラプスコントローラ１０と、静止画を所定時間間隔毎に撮影するカメラ１１と、静止画及び動画を表示するモニタ１２と、ディスクＤに対してデータの記録及び再生を行う光ディスクドライブ１３とを備えている。
【００１６】
カメラ１１は、被写体の静止画を所定の時間間隔毎に撮影し、生成した静止画のデータをタイムラプスコントローラ１０に供給する。
【００１７】
タイムラプスコントローラ１０は、カメラ１１から供給された静止画データを蓄積し、１日分の静止画データが蓄積されると、それらを１本の変換動画データに変換する。そして、タイムラプスコントローラ１０は、１日分の静止画データ及びその変換動画データを、光ディスクドライブ１３を制御して光ディスクＤに記録する。また、タイムラプスコントローラ１０は、光ディスクＤに記録されている静止画データ及び変換動画データを再生して、モニタ１２に表示する。
【００１８】
ここで、当該カメラシステム１に用いられる光ディスクＤは、書き換え可能型の片側２層光ディスクである。
【００１９】
タイムラプスコントローラ１０は、システム制御部２１と、静止画エンコーダ/デコーダ２２と、動画エンコーダ/デコーダ２３と、データメモリ２４と、入出力制御部２５と、データ制御部２６と、ドライブ制御部２７と、時刻データ部２８とを備えている。
【００２０】
システム制御部２１は、当該タイムラプスコントローラ１０の全体の制御及び演算等を行う。システム制御部２１は、プログラムに基づき動作を行う。具体的には、システム制御部２１は、静止画のエンコードの制御を行う静止画アプリケーションフォーマット制御プログラム２１-１、変換動画の生成の制御を行う動画アプリケーションフォーマット制御プログラム２１-２、光ディスクＤに記録するファイルの制御を行う論理ファイルシステム制御プログラム２１-３、光ディスクドライブ１３の制御を行うドライブ制御プログラム２１-４等に基づき動作をする。
【００２１】
静止画エンコーダ/デコーダ２２は、静止画のエンコード処理及びデコード処理を行う。静止画エンコーダ/デコーダ２２は、システム制御部２１の制御に基づき動作をする。
【００２２】
動画エンコーダ/デコーダ２３は、動画のエンコード処理及びデコード処理を行う。動画エンコーダ/デコーダ２３は、システム制御部２１の制御に基づき動作をする。
【００２３】
データメモリ２４は、静止画エンコーダ/デコーダ２２及び動画エンコーダ/デコーダ２３による処理中のデータを格納する。また、データメモリ２４は、カメラ１１及びモニタ１２に入出力される静止画及び動画データのバッファリング、及び、光ディスクＤに対して記録及び再生される圧縮データストリームのバッファリングを行う。
【００２４】
入出力制御部２５は、カメラ１１から入力されるデータ及びモニタ１２に対して出力されるデータの入出力制御を行う。
【００２５】
データ制御部２６は、光ディスクＤに対して記録する圧縮データストリームの多重化処理、及び、光ディスクＤから再生された圧縮データストリームの分離処理を行う。
【００２６】
ドライブ制御部２７は、光ディスクドライブ１３に対するデータの入出力及び光ディスクドライブ１３の制御を行う。
【００２７】
つぎに、静止画の生成及び変換動画の生成処理について説明をする。
【００２８】
図２は、静止画生成処理、及び、変換動画の生成処理の処理フロー図である。
【００２９】
まず、カメラ１１が所定の時間間隔毎に静止画を撮影する。
【００３０】
静止画アプリケーションフォーマット制御プログラム２１-１は、カメラ１１により静止画が撮影される毎に、静止画エンコーダ/デコーダ２２を制御して、カメラ１１から供給された静止画を所定のフォーマット（ここでは、ＪＰＥＧ）のデータに圧縮して、データメモリ２４に格納する。
【００３１】
続いて、一日分の静止画の撮影が完了し、一日分の静止画データがデータメモリ２４に格納されると、動画アプリケーションフォーマット制御プログラム２１-２が起動する。動画アプリケーションフォーマット制御プログラム２１-２は、静止画エンコーダ/デコーダ２２及び動画エンコーダ/デコーダ２３を制御して、データメモリ２４内の時間的に連続した静止画データ群を伸張し、伸張した複数の静止画データ群を所定のフォーマット（ここでは、ＭＰＥＧ-２）の動画データに圧縮する処理を行う。当該静止画伸張、動画圧縮処理が完了すると、１日分の複数の静止画が１本の変換動画データに変換される。
【００３２】
変換動画データへの変換が完了すると、続いて、論理ファイルシステムプログラム２１-３が起動する。論理ファイルシステムプログラム２１-３は、１日分の複数の静止画データと、１本の変換動画データとを関連付けて管理をするためのＡＶファイルを生成する。
【００３３】
そして、ＡＶファイルの生成が完了すると、ドライブ制御プログラム２１-４が起動する。ドライブ制御プログラム２１-４は、ドライブ制御部２７及び光ディスクドライブ１３を制御して、１日分の複数の静止画データ群、１日の一本の変換動画データ、及び、ＡＶファイルを光ディスクＤに記録する。
【００３４】
なお、静止画データ群,変換動画データ及びＡＶファイルを同時に光ディスクＤに記録するようにしているが、静止画データ及び変換動画データを先に光ディスクＤに記録し、後からＡＶファイルを生成及び記録するようにしてもよい。
【００３５】
つぎに、静止画データ、変換動画、及び、ＡＶファイルのフォーマットについて説明をする。
【００３６】
光ディスクＤには、図３に示すように、静止画データ、変換動画及びＡＶファイルが記録される。
【００３７】
静止画データは、ＤＣＦ静止画フォーマットファイルとして、光ディスクＤに記録される。また、変換動画データは、ＤＶＤ-ＶＩＤＥＯの動画フォーマットでディスクＤに記録される。なお、１日分の変換動画データは、ＤＶＤフォーマットで規定された１チャプタとして記録され、１ヶ月分の変換動画データは、ＤＶＤフォーマットで規定された１タイトルとして記録される。
【００３８】
さらに、光ディスクＤには、静止画及び動画の管理ファイルとして、ＡＶファイルが記録される。
【００３９】
図４は、ＤＣＦ静止画フォーマットを示す図である。
【００４０】
ＤＣＦ静止画フォーマットファイルは、図４（Ａ）に示すように、データ開始位置情報と、付属情報と、圧縮方式情報と、圧縮画像データと、データ終了位置情報とから構成されている。
【００４１】
付属情報は、図４（Ｂ）に示すように、マーカ、当該ＤＣＦ静止画フォーマットファイルのデータ長情報、アプリケーションフォーマット識別子、ヘッダ情報、サムネイル圧縮画像情報が含まれている。また、サムネイル圧縮画像情報としては、図４（Ｃ）に示すように、サムネイルデータ開始位置情報、圧縮方式情報、サムネイル画像の実体データ（サムネイル圧縮画像データ）、サムネイルデータ終了位置情報が含まれている。
【００４２】
なお、静止画像データの一枚一枚には、撮影時刻を示す撮影時刻情報が含まれている。静止画の撮影時刻情報は、付属情報内のヘッダ情報に含まれている。
【００４３】
図５は、ＤＶＤ-ＶＩＤＥＯのフォーマットを示している。
【００４４】
図５（Ａ）は、ＤＶＤ-ＶＩＤＥＯ規格のディスクイメージを示している。ＤＶＤ-ＶＩＤＥＯ規格では、記録方向に沿って、リードイン、ＵＤＦのファイルシステムエリア、ＶＭＧ（Video Manager）、１以上のＶＴＳ（Video Title Set）、リードアウトが形成される。
【００４５】
ＵＤＦ（ユニバーサルディスクフォーマット）ファイルシステムは、記録領域内に記録されている全ファイルの管理を行うための情報であり、各ファイルの開始位置及びサイズ、ファイル名、記録日時等の情報が記述されている。
【００４６】
ＶＭＧには、各ＶＴＳの記録アドレス、ＶＴＳ数等の情報、及び、タイトルを再生するためのユーザインタフェース画面であるメニュー画面を表示及び制御させるためのメニューデータ（ＭＰＥＧ-２データム及び管理制御データ）が記録されている。
【００４７】
ＶＴＳは、タイトルの管理単位であり、管理データと実体データとから構成されたタイトルセットとなっている。
【００４８】
ＤＶＤ−ＶＩＤＥＯ規格では、記録するコンテンツを“タイトル”及び“チャプタ”という再生単位で管理をしている。“タイトル”とは、例えば、映画の１作品や音楽アルバムの１作品等の１つのコンテンツの再生単位を示す概念である。ＶＴＳは、このようなタイトルが複数集合した管理単位である。“チャプタ”とは、タイトル内を複数に分割した単位であり、検索等を容易にするために設定された単位である。
【００４９】
本例では、１つのチャプタが１日分の静止画から構成された動画像データとなっており、１つのタイトルが１ヶ月分のチャプタから構成されている。
【００５０】
各ＶＴＳは、図５（Ｂ）に示すように、ＶＴＳＩ、ＶＴＳＭ＿ＶＯＢＳ、ＶＴＳＴＴ＿ＶＯＢＳ、ＶＴＳＩ＿ＢＵＰとから構成されている。
【００５１】
ＶＴＳＩは、ＶＴＳ内の各種のメニュー（ＰＧＣＩ）等である。ＶＴＳＴＴ＿ＶＯＢＳは、タイトルの実体データである。ＶＴＳＩ＿ＢＵＰは、ＶＴＳＩのバックアップデータである。
【００５２】
各タイトルの実体データは、図５（Ｃ）に示すように、複数のビデオオブジェクト（ＶＯＢ）から構成されている。
【００５３】
各ビデオオブジェクトは、図５（Ｄ）に示すように、Ｃｅｌｌという単位で管理されている。Ｃｅｌｌは、ビデオオブジェクトの１再生指定単位である。Ｃｅｌｌ単位でＰＧＣ（プログラムチェーン）が形成され、アクセスが容易にされている。本例では、頭だしの容易のために１チャプタ（１日）を１２セルで構成するようにしている。
【００５４】
Ｃｅｌｌは、図５（Ｅ）に示すように、ＶＯＢＵ（Video Object Unit）の集合で構成されている。各ＶＯＢＵの再生時間は０．４〜１．０秒（通常０．５秒（＝１ＧＯＰ）、最後のＶＯＢＵだけは１．２秒）となっている。
【００５５】
さらに、このようなビデオオブジェクトは、図５（Ｆ）に示すように、ビデオデータ、オーディオデータ、サブピクチャデータ、ナビゲーションデータ毎にパック化がされる。各パックは、２ｋバイトから構成される。各パックには、ＳＣＲ、ＤＴＳ、ＰＴＳが含められている。
【００５６】
なお、ナビゲーションパックには、図５（Ｇ）に示すように、ＰＣＩやＤＳＩといった管理情報が格納されている。
【００５７】
また、拡張ユーザデータパックに格納される静止画の撮影時刻情報は、ＶＯＢＵ毎に更新がされる。
【００５８】
図６及び図７は、ＡＶファイルの内容を示している。
【００５９】
ＡＶファイルは、図６に示すように、複数のスロットから構成されている。１つのスロットは、１つの変換動画データ（ＤＶＤの１チャプタ：１日分のデータ）及び１枚の静止画データ（ＤＣＦの１静止画単位）に対応している。すなわち、ＡＶファイルには、光ディスクＤに記録されている変換動画データ及び静止画データの実体毎にスロットが形成されている。
【００６０】
各スロットは、図７に示すように、プロパティ、テキストフラグ情報、サムネイル情報、他の属性情報及び管理情報から構成されている。
【００６１】
プロパティには、そのスロットが指し示す実体のデータファイル（変換動画データ又は静止画データのファイル）のアドレスパスを示すファイルエントリ、識別情報、ファイル有効無効フラグ、拡張スロットが含まれている。このようにプロパティには、スロットが指し示す実体データへのリンクのためのパス等が含まれているので、当該ＡＶファイルから実体データの読み出しが可能となる。
【００６２】
テキストフラグ情報には、テキスト有無フラグ、テキストのスロット番号、テキストの拡張フラグが含まれている。
【００６３】
サムネイル情報には、サムネイル有無フラグ、サムネイルのスロット番号、サムネイルの拡張フラグ、サムネイルの圧縮種別コード、サムネイルデータの参照のためのファイルパスが含まれている。このようにサムネイル情報には、スロットが指し示す実体データのサムネイルへのリンクのためのファイルパスが含まれて、サムネイルの読み出しが可能となる。なお、サムネイルは、例えば、実体データがＤＶＤの動画であればＩピクチャサムネイル等であり、ＤＣＦ静止画であればＪＰＥＧ見出し画像である。
【００６４】
また、他の属性情報及び管理情報には、そのスロットが指し示している変換動画データ又は静止画データと関連付けられている他の変換動画データ又は静止画データの実体データのアドレスを示すパスが記述されている。
【００６５】
例えば、そのスロットがＤＶＤの変換動画データを指し示しているのであれば、その変換動画データの生成元となった１日分の複数の静止画データの各ファイルの格納場所が示されたパスが記述されている。反対に、そのスロットが静止画データを指し示しているのであれば、その静止画データに基づき生成された変換動画データのファイルのパスが記述されている。
【００６６】
このため、１つの変換動画データと、その変換動画データの元となっている複数の静止画データとの関連付けがなされることとなる。
【００６７】
このようにＡＶファイルにより、互いに対応する変換動画データ及び各静止画データとが関連付けされることにより、再生時において、変換動画データから静止画データへの表示切替、または、静止画データから変換動画データの表示切替が、非常に容易に行えることとなる。つまり、動画データを再生している途中で、その表示中の画像に対応する静止画を切り替え表示したり、静止画を表示した後にその位置から動画データを再生したりするといった操作が、現在表示中の変換動画（又は静止画）のＡＶファイルを参照するだけで、容易に行えることとなる。
【００６８】
つぎに、静止画データ及び変換動画データに付加される時刻情報について説明をする。
【００６９】
タイムラプスコントローラ１０は、静止画データの一枚一枚に対して、その静止画を撮影した撮影時刻を時刻情報として付加している。
【００７０】
また、タイムラプスコントローラ１０は、変換動画データに対しては、先頭の静止画をエンコードした時を基準時刻として、そのタイミングからの差分時刻（例えば、１画面を１/３０秒として換算したオフセット時刻）を、時刻情報として付加している。ＤＶＤ-ＶＩＤＥＯフォーマットの場合、変換動画データに付加される時刻情報としては、図８に示すように、ＰＴＳ（Presentation Time Stamp）、ＤＴＳ（Decode Time Stamp）、ＳＣＲ（System Clock Reference）、ＳＴＣ（System Time Clock）がある。タイムラプスコントローラ１０は、先頭の静止画をエンコードした時を基準に、これらＰＴＳ,ＤＴＳ,ＳＣＲを生成している。
【００７１】
さらに、タイムラプスコントローラ１０は、変換動画データに対して、静止画の撮影時刻も付加している。
【００７２】
なお、ＰＴＳ,ＤＴＳについては、フレーム（ピクチャ）毎に付加がされ、ＳＣＲについては、２Ｋバイトのパック毎に付加がされる。
【００７３】
また、ＰＴＳ,ＤＴＳについては、図９に示すように、ＤＶＤ-ＶＩＤＥＯフォーマットのナビゲーションパック用のデータとして含められる。一方、静止画の撮影時刻の情報については、ＤＶＤ-ＶＩＤＥＯフォーマットのユーザパック用の拡張データに含められる。
【００７４】
また、各時刻情報のタイムゾーンであるが、図１０（Ａ）に示すように、ナビゲーションパック用のデータに含められる時刻情報（ＰＴＳ,ＤＴＳ）については、静止画-動画変換をした時のタイムゾーンとなる。なお、通常のカメラ撮影をした場合には、その記録時のタイムゾーンとなる。また、図１０（Ｂ）に示すように、拡張ユーザ用データパックの時刻情報（静止画像の時刻情報）については、タイムゾーンは０に設定がされる。
【００７５】
以上のように変換動画データに対して、エンコード時の先頭画面からの差分時刻、及び、静止画の撮影時刻を付加しておくことによって、例えば、図１１の（Ａ）に示すように、動画像を表示している場合に、撮影時刻（第１時刻表示）と、動画エンコード時刻（第２時刻表示）とをすることが可能となる。さらに、動画像データに対して、静止画の撮影時刻を付加しておくことにより、図１１の（Ａ）→（Ｂ）の切り替えのように動画表示から静止画表示への切り替えが容易になる。さらに、図１１の（Ｂ）→（Ａ）の切り換えのように、静止画表示から動画表示した際に、その静止画部分から動画データの再生を開始することも容易となる。
【００７６】
また、タイムラプスコントローラ１０は、１日毎に１本の動画の生成を行い、１日分の動画をＤＶＤ-ＶＩＤＥＯ規格におけるチャプタと呼ぶ単位で管理する。このため、図１２に示すように、記録した動画の管理画面として、１日毎の動画をリスト表示した画面を生成することが容易になる。例えば、図１２に示すように、最新の２０件についてのチャプタをリスト表示して、そのリストから所望の日の動画を再生することが容易となる。
【００７７】
つぎに、静止画から変換動画への変換処理について、図１３のタイミングチャートを参照してさらに説明をする。
【００７８】
なお、図１３は、システム制御部２１等により行われる処理の内容毎にチャートが分離されている。
【００７９】
まず、光ディスクドライブ１３に対する制御が行われ、光ディスクＤに記録されている静止画テーブル（静止画の管理テーブル）を読み出す（ステップＳ１）。
【００８０】
続いて、読み出された静止画テーブルに基づき、変換処理のための管理テーブルを作成し、さらに、チャプタ毎に静止画のグループ分けを行う（ステップＳ２）。
【００８１】
続いて、作成した管理テーブルを参照して光ディスクＤ上のアドレスを参照して、光ディスクＤに記録されている最初の静止画データの１５枚分を読み出す（ステップＳ３）。
【００８２】
続いて、読み出した１５枚分の静止画データをデコードする（ステップＳ４）。さらに、先頭の静止画データに付加されている撮影時刻情報を読み出して、デコード開始時刻としてセットする（ステップＳ５）。そして、デコードされた静止画データを、データメモリ２４に格納する（ステップＳ６）。
【００８３】
続いて、ナビゲーションパック及び拡張ユーザパックのデータの生成を行う（ステップＳ７）。
【００８４】
続いて、データメモリ２４に格納されている１５枚の静止画データを読み出して、ＭＰＥＧ-２の動画像データにエンコードをする（ステップＳ８）。エンコードされた動画データは、ＶＯＢＵとして適宜データメモリ２４に格納される（ステップＳ９）。なお、エンコード時には、変換動画用の時刻情報（第２時間）を参照して、ＳＴＲ,ＰＴＳ,ＤＴＳのタイミング調整等を行う。
【００８５】
そして、１５枚分の静止画の全てに対してエンコードが完了すると、ＶＯＢＵの作成完了通知を行う。
【００８６】
以上の処理は、静止画の最初の１５枚についてのＶＯＢＵの生成処理であるが、それ以降のＶＯＢＵの生成処理の場合であれば、ナビゲーションパック及び拡張ユーザパックのデータの生成を行う際に、先頭の静止画の撮影時刻からのオフセット時刻を参照して各種の時間情報の生成を行う（ステップＳ１１）。
【００８７】
つぎに、光ディスクＤに対する記録方法について説明をする。
【００８８】
光ディスクＤは、ＤＶＤの片側２層光ディスクである。片側２層光ディスクとは、図１４に示すように、一枚のディスクに記録層が２層設けられており、レーベルが貼り付けられる面とは逆の面からのみレーザ光が入射され、レーザ光の焦点をディスクの厚み方向にずらすことにより、それぞれの記録面に対してデータの記録及び再生が行われる光ディスクである。以下、片側２層光ディスクにおいて、レーザ光の入射側の面から見て（すなわちピックアップ側から見て）手前側の記録層のことをレイヤ＃０という。また、レーザ光の入射側の面から見て奥側の記録層のことをレイヤ＃１という。
【００８９】
タイムラプスコントローラ１０は、複数の静止画と、それらの静止画に基づき生成された動画データとの両者を記録する。
【００９０】
互いに対応する動画データ及び静止画データは、再生時において、容易に表示の切り換えが行えることが望ましい。つまり、動画データを再生している途中で、その表示中の画像に対応する静止画を切り替え表示したり、静止画を表示した後にその位置から動画データを再生したりするといった操作が行えることが望ましい。
【００９１】
このような操作が行われた場合、光ディスクからのデータの読み出しが行われるが、その読み出し時間が短い方が望ましい。
【００９２】
そこで、タイムラプスコントローラ１０は、複数の静止画と、それらの静止画に基づき生成された動画データとを記録する場合、対応する静止画データ群と動画データとのシーク量が小さくなるように記録を行う。
【００９３】
具体的には、光ディスクＤが片側２層光ディスクであること利用し、静止画群をレイヤ＃０に記録し、対応する変換動画データをレイヤ＃１の対向する位置に記録をする。
【００９４】
例えば、図１５に示すように、最初の１日分の静止画データ群（静止画群（Ｇｐ＃０））をレイヤ＃０の最内周側の位置に記録したとすれば、この静止画群（Ｇｐ＃０）に対応する日の変換動画データ（Chapter#0）をレイヤ１の最内周側の位置に記録する。また、次の静止画群（Ｇｐ＃１）を、レイヤ＃０の静止画群（Ｇｐ＃０）の外周側に記録したとすると、静止画群（Ｇｐ＃１）に対応する変換動画データ（Chapter#1）を、レイヤ＃１の変換動画データ（Chapter#0）の外周側に記録する。
【００９５】
以上のように、静止画データ群を２層ディスクの一方の層に記録し、変換動画データを２層ディスクの２層ディスクの他方の層に記録し、且つ、互いに対向する位置になるように記録しておくことによって、動画から静止画への表示切替、静止画から動画への表示切替を行う際にシーク量を少なくすることができる。また、静止画データ及び動画データの記録位置は、図１６に示すように、ＡＶファイルにより管理がされている。
【００９６】
なお、図１７に示すように、レイヤ＃０に変換動画を記録し、レイヤ＃１に静止画群を記録するようにしてもよい。また、カメラ撮影等により生成された通常動画データが既に光ディスクＤに記録されている場合、静止画データ群と動画データとを対向する位置に記録することはできないが、このような場合であっても、例えば静止画データ及び変換動画データともに最内周側から記録を開始して、よりシーク量が小さくなるように記録を行けばよい。
【図面の簡単な説明】
【００９７】
【図１】本発明が適用されたカメラシステムのブロック図である。
【図２】静止画生成処理、及び、静止画から動画を生成する処理の処理フロー図を示す。
【図３】本発明が適用されたカメラシステムにより光ディスクに記録される情報を示した図である。
【図４】ＤＣＦ静止画フォーマットを示す図である。
【図５】ＤＶＤ-ＶＩＤＥＯのフォーマットを示す図である。
【図６】ＡＶファイルの内容を示す図である。
【図７】ＡＶファイルを構成する各スロットの内容を示す図である。
【図８】ＤＴＳ，ＰＴＳ，ＳＣＲ,ＳＴＣを示した図である。
【図９】ＤＶＤのデータストリーム中のナビゲーションパック及びユーザパックを示す図である。
【図１０】時刻情報のタイムゾーンを示す図である。
【図１１】変換動画と静止画とを切り替え表示している例を示す図である。
【図１２】最近２０件で作成したチャプタリストを示した図である。
【図１３】静止画から変換動画への変換処理を示したタイミングチャートである。
【図１４】片側２層光ディスクの構造を示す図である。
【図１５】片側２層光ディスクに対する静止画データ群と変換動画データの記録例を示した図である。
【図１６】ＡＶファイルによる静止画データと変換動画データとの関連付けを示した図である。
【図１７】片側２層光ディスクに対する静止画データ群と変換動画データの他の記録例を示した図である。
【符号の説明】
【００９８】
１  カメラシステム、１０  タイムラプスコントローラ、１１  カメラ、１２  モニタ、１３  光ディスクドライブ
【図１】
2007048349.tif 000003
【図２】
2007048349.tif 000004
【図３】
2007048349.tif 000005
【図４】
2007048349.tif 000006
【図５】
2007048349.tif 000007
【図６】
2007048349.tif 000008
【図７】
2007048349.tif 000009
【図８】
2007048349.tif 000010
【図９】
2007048349.tif 000011
【図１０】
2007048349.tif 000012
【図１１】
2007048349.tif 000013
【図１２】
2007048349.tif 000014
【図１３】
2007048349.tif 000015
【図１４】
2007048349.tif 000016
【図１５】
2007048349.tif 000017
【図１６】
2007048349.tif 000018
【図１７】
2007048349.tif 000019